(57)【特許請求の範囲】
【請求項１】
フレーム；
前記フレームに装着されたシャフト；
前記シャフトに軸設され、釣糸が巻き付けられるスプール；
前記フレームの側面に備えられ、前記スプールの分離のために開放可能な第１サイドカバー；
前記第１サイドカバーの反対側に配列され、前記フレームに結合された第２サイドカバー；及び
前記第１サイドカバーに形成され、係止部と進退孔を含む装着部と、前記装着部の進退孔に沿って進退するロックロッドと、前記ロックロッドに連結され、第１サイドカバーの開放の際、係止部に結合する係止体を含むロッカーと、前記ロックロッドの端部に結合し、前記フレームまたは第２サイドカバーに備えられたロックホールと、前記ロッカーのロックロッドが前記ロックホールに結合する方向に弾性を付勢するように前記ロッカーに結合された弾性手段とを含むクィックオープニングシステム；
を含んでなる釣り用リール。
【請求項２】
フレーム；
前記フレームに装着されたシャフト；
前記シャフトに軸設され、釣糸が巻き付けられるスプール；
前記フレームの側面に備えられ、前記スプールの分離のために開放可能な第１サイドカバー；
前記第１サイドカバーの反対側に配列され、前記フレームに結合された第２サイドカバー；及び
前記第２サイドカバーに形成され、係止部と進退孔を含む装着部と、前記装着部の進退孔に沿って進退するロックロッドと、前記ロックロッドに連結され、第１サイドカバーの開放の際、係止部に結合する係止体を含むロッカーと、前記ロックロッドの端部と結合し、前記第１サイドカバーに備えられたロックホールと、前記ロッカーのロックロッドが前記ロックホールに結合する方向に弾性を付勢するように前記ロッカーに結合された弾性手段とを含むクィックオープニングシステム；
を含んでなる釣り用リール。
【請求項３】
前記ロッカーの係止体は、昇降変位手段を持つことを特徴とする、請求項１または請求項２に記載の釣り用リール。
【請求項４】
前記ロッカーはグリップを含み、
前記装着部は、グリップに指が投入できるようにする隙間を持つことを特徴とする、請求項３に記載の釣り用リール。
【請求項５】
前記クィックオープニングシステムは、スプールカバーを回転させることで、前記第１サイドカバーが前記フレームの側面を開閉するようにするロック手段を含み、
前記ロック手段は、前記スプールカバーに横方向にスイング運動するように結合されたグリップと、前記スプールカバーに内蔵され、前記グリップの一方向スイング運動の完了の際、完了状態を強制して、グリップのスイング運動がワンスナップ方式でなされるようにする弾支手段とを含んでなることを特徴とする、請求項１または２に記載の釣り用リール。
【請求項６】
前記グリップは、把持部と、この把持部に連結された頭部と、この頭部の両側端部から突設されたスイング軸と、前記頭部の内側面から突設された係止突起とからなり、
前記弾支手段は、前記係止突起に接触しながら外側方向に弾性力を発揮する接触部を備えたリーフスプリングを含んでなることを特徴とする、請求項５に記載の釣り用リール。
【請求項７】
前記弾支手段は、前記リーフスプリングの接触部に連結された支持部に結合して外側方向に弾支するコイルスプリングを含んでなることを特徴とする、請求項６に記載の釣り用リール。
【請求項８】
前記スプールカバー及び前記第１サイドカバーは、前記グリップを収容することができるように陷沒した形態の収容凹部を含み、
前記グリップが前記収容凹部に収容されたとき、前記スプールカバーの回転を防止してロック状態となることを特徴とする、請求項７に記載の釣り用リール。
【請求項９】
フレーム；
前記フレームに装着されたシャフト；
前記シャフトに軸設され、釣糸が巻き付けられるスプール；
前記フレームの側面に備えられ、前記スプールの分離のために開放可能な第１サイドカバー；
前記第１サイドカバーの反対側に配列され、前記フレームに結合された第２サイドカバー；及び
前記第１サイドカバーに形成され、進退孔を含む第１装着部と、前記第２サイドカバーに形成され、進退孔を含む第２装着部と、前記第１装着部の進退孔に沿って進退する第１ロックロッドと前記第２装着部の進退孔に沿って進退する第２ロックロッドとからなるロッカーと、第１ロックロッドまたは第２ロックロッドの端部に備えられたロックチップと、第２ロックロッドまたは第１ロックロッドに備えられたロックホールと、前記ロックチップと前記ロックホールが結合する方向に弾性を付勢するように前記ロッカーの第１及び第２ロックロッドに結合された弾性手段とを含むクィックオープニングシステム；
を含んでなる、釣り用リール。
【請求項１０】
フレーム；
前記フレームに装着されたシャフト；
前記シャフトに軸設され、釣糸が巻き付けられるスプール；
前記フレームの側面に備えられ、前記スプールの分離のために開放可能な第１サイドカバー；
前記第１サイドカバーの反対側に配列され、前記フレームに結合された第２サイドカバー；及び
第１サイドカバーまたは第２サイドカバーに形成された進退孔及び進退孔の周面の雌ネジ部を含む装着部と、前記装着部の進退孔に沿って進退し、前記装着部の雌ネジ部に結合する雄ネジ部を持ち、第１または第２サイドカバーの外側に露出されたグリップを備えたロックロッドからなるロッカーと、前記ロックロッドの端部に備えられたロックチップと、第２または第１サイドカバーに備えられ、前記ロックチップと結合するロックホールと、前記ロックチップと前記ロックホールが結合する方向または分離される方向に弾性を付勢するように前記ロックロッドに結合された弾性手段とを含むクィックオープニングシステム；
を含んでなる、釣り用リール。
【発明の詳細な説明】
【技術分野】
【０００１】
本発明は、スプールなどの脱着のために開閉可能なサイドカバーを備えた釣り用リールに係る。より詳しくは一手でロッカーを動かしてサイドカバーを開放するように構成されたクィックオープニングシステムを導入し、装着部の係止部とロッカーの係止体の結合の際、開放状態の維持が可能であり、弾性手段によるロッカーのロックロッドとロックホールの結合の際、閉鎖状態の維持が可能であり、さらにサイドカバーの開放状態ではロッカーのグリップが突出している状態を維持して釣り人がサイドカバーを意識的に閉めることができ、釣り中にサイドカバーが開かれる事態の発生を防止するように片手による操作が可能なクィックオープニングサイドカバーを備えた釣り用リールに関する。
【背景技術】
【０００２】
釣り用リールまたはベイトリール（bait reel）を用いた釣りにおいては、キャスティングによって餌の付いた釣針を投擲するが、キャスティングの際に釣糸が縺れる場合が発生するので、その整理の必要性が発生することがある。またキャスティングの際、餌の付いた釣り針の投擲が完了した状態でも釣糸が巻き付けられたスプールは慣性によってずっと回転するので、釣糸がオーバーラップしてもつれてしまうバックラッシュ（backlash）状況が発生し、バックラッシュ防止のために導入したブレーキシステムの制動力を調節する必要が生ずることがある。このように多様な必要性によって釣り用リールのフレームに結合されたサイドカバーを開閉する必要があり、閉鎖状態の堅固さを維持する必要がある。
【０００３】
このようなサイドカバーの開閉方式に関連して本発明の出願人は特許文献１（２００１年１２月２８日、釣り用両ベアリング型リールのサイドカバー着脱構造）を提示したことがある。前記特許文献１は、工具を使わないで手で着脱することができるので、部品の入替えや操作などを容易で速かに行うことができ、サイドカバーの組立状態が堅固であり、ワンタッチ操作でサイドカバーをリール本体に組み立てるとか分解することができる利点を提供する。
しかしながら、前記特許文献１は、実際に開放するサイドカバー側に備えられたプッシュボタン方式を採用しているため、釣り中に多様な意識的または無意識的動作による押圧によってカバーが開放することがあるという問題点を持つ。
【０００４】
また、本発明の出願人による特許文献２（２００４年０３月０４日、釣り用リールのサイドカバーロック装置）がある。前記特許文献２は、確かなロック作用を図るので、安全であり、素人も容易に使うことができ、構造が簡単であるので、生産性に優れるとともに耐久性にも優れたなどの特徴を持つ。また、ロック状態を正確に音で確認することができ、確かなロック状態を得ることができ、ロック状態でもスプリングの弾性力が作用して安全な状態に維持される効果とともに、構造故障の発生がほとんどなく使用も便利であり、組立てやすくて生産性とともに耐久性が上昇し、故障がめったに発生しないので、経済性に優れるなどの有用な効果があるという利点を持つ。しかし、前記特許文献２も意図しなかった押圧動作による無駄な開放状況が発生する危険がある。
【０００５】
つぎに、本発明の出願人による特許文献３（２００６年０９月０８日、釣り用両ベアリング型リールのサイドカバー着脱装置）がある。前記特許文献３は、操作が簡便でありながらもサイドカバーの分離及び結合動作を安定的に遂行するようにした釣り用両ベアリング型リールのサイドカバー着脱装置を提供する。具体的には、スプールが回転可能に装着されたリールフレームを持ち、前記リールフレームの側面に組み立てられるサイドカバーを分離及び結合させるための釣り用両ベアリング型リールのサイドカバー着脱装置において、前記サイドカバーの内部に形成され、中央に止め孔を持ち、先端の周面には斜面が形成されたボスと、前記リールフレームとサイドカバーを貫いた状態で左右に移動して前記ボスの止め孔に選択的に挿入されると、前記棒の外周面に嵌合され、前記棒の左右移動を弾支するスプリングとを含んでなる。しかし、前記特許文献３のように、実際に開閉するサイドカバーの反対側部位にレバー（特許文献３では「棒」として表現）引出部位が備えられているため、両手を使ってサイドカバーを開放しなければならない不便さがある。
【先行技術文献】
【特許文献】
【０００６】
【特許文献１】大韓民国特許登録第１０−０３２０４０５号明細書
【特許文献２】大韓民国実用新案登録第２０−０３４５０６７号明細書
【特許文献３】大韓民国実用新案登録第２０−０４２６６０４号明細書
【発明の概要】
【発明が解決しようとする課題】
【０００７】
従って、本発明は、クィックオープニングサイドカバー構造を提供するために、一手で引いてアンロック状態に切り替えることができるロッカーを提供し、装着部の係止部とロッカーの係止体の結合の際、開放状態の維持が可能であり、弾性手段によるロッカーのロックロッドとロックホールの結合の際、閉鎖状態の維持が可能であるクィックオープニングシステムを導入した釣り用リールを提供することを目的とする。
【０００８】
また、本発明は、サイドカバーの開放状態ではロッカーのグリップが突出している状態を維持し、釣り人がサイドカバーを意識的に閉めることができ、釣り中にサイドカバーが開かれる事態の発生を防止するようにした一手による操作が可能なクィックオープニングサイドカバーを備えた釣り用リールを提供することを他の目的とする。
【０００９】
また、本発明は、ロッカーのロックロッドを引いてロック状態を保障するロックホールから分離してアンロック状態に切り替えた後、係止体を装着部の係止部に結合するように変位させてアンロック状態を維持するためにロッカーの係止体を昇降させるようにする多様な昇降変位手段を持つ、一手による操作が可能なクィックオープニングサイドカバーを備えた釣り用リールを提供することをさらに他の目的とする。
【００１０】
また、本発明は、ロッカーのグリップに対する接近性を保障する隙間を持つ装着部を備えたクィックオープニングシステムを含む釣り用リールを提供することをさらに他の目的とする。
【００１１】
また、本発明は、ロッカーを構成するロックロッドを第１ロックロッドとともにロックホールを持つホール部材そのものでなる第２ロックロッドで構成し、左右の両側で第１または第２ロックロッドを引いてアンロックすることで、第１サイドカバーの開放を可能にしたクィックオープニングシステムを備えた釣り用リールを提供することをさらに他の目的とする。
【００１２】
また、本発明は、第１サイドカバーの無断開放の防止及びアンロック状態の現出のための補完装置として、ロックロッドにネジ結合部を導入し、雄ネジ部と雌ネジ部を解除し、ロックロッドを引いて第１サイドカバーを開放するようにし、ロッキングの際にロックホールとロックチップが結合していても、雄ネジ部と雌ネジ部が結合されなければ、ロッカーのグリップがサイドカバーの外側に露出されているので、釣り人がこれを確認して完璧に結合するように補強したクィックオープニングシステムを備えた釣り用リールを提供することをさらに他の目的とする。
【課題を解決するための手段】
【００１３】
前記のような目的を達成するために、本発明によるクィックオープニングサイドカバーを備えた釣り用リールは、
フレーム；
前記フレームに装着されたシャフト；
前記シャフトに軸設され、釣糸が巻き付けられるスプール；
前記フレームの側面に備えられ、前記スプールの分離のために開放可能な第１サイドカバー；
前記第１サイドカバーの反対側に配列され、前記フレームに結合された第２サイドカバー；及び
前記第１サイドカバーに形成され、係止部と進退孔を含む装着部と、前記装着部の進退孔に沿って進退するロックロッドと、前記ロックロッドに連結され、第１サイドカバーの開放の際、係止部に結合する係止体を含むロッカーと、前記ロックロッドの端部に結合し、前記フレームまたは第２サイドカバーに備えられたロックホールと、前記ロッカーのロックロッドが前記ロックホールに結合する方向に弾性を付勢するように前記ロッカーに結合された弾性手段とを含むクィックオープニングシステム；
を含んでなる。
【００１４】
また、本発明によるクィックオープニングサイドカバーを備えた釣り用リールは、
フレーム；
前記フレームに装着されたシャフト；
前記シャフトに軸設され、釣糸が巻き付けられるスプール；
前記フレームの側面に備えられ、前記スプールの分離のために開放可能な第１サイドカバー；
前記第１サイドカバーの反対側に配列され、前記フレームに結合された第２サイドカバー；及び
前記第２サイドカバーに形成され、係止部と進退孔を含む装着部と、前記装着部の進退孔に沿って進退するロックロッドと、前記ロックロッドに連結され、第１サイドカバーの開放の際、係止部に結合する係止体を含むロッカーと、前記ロックロッドの端部と結合し、前記第１サイドカバーに備えられたロックホールと、前記ロッカーのロックロッドが前記ロックホールに結合する方向に弾性を付勢するように前記ロッカーに結合された弾性手段とを含むクィックオープニングシステム；
を含んでなる。
【００１５】
本発明によるクィックオープニングサイドカバーを備えた釣り用リールにおいて、前記ロッカーの係止体は、昇降変位手段を持ち、前記ロッカーはグリップを含み、前記装着部は、グリップに指が投入できるようにする隙間を持つことができる。
【００１６】
また、本発明によるクィックオープニングサイドカバーを備えた釣り用リールにおいて、前記クィックオープニングシステムは、スプールカバーを回転させることで、前記第１サイドカバーが前記フレームの側面を開閉するようにするロック手段を含み、前記ロック手段は、前記スプールカバーに横方向にスイング運動するように結合されたグリップと、前記スプールカバーに内蔵され、前記グリップの一方向スイング運動の完了の際、完了状態を強制して、グリップのスイング運動がワンスナップ方式でなされるようにする弾支手段とを含んでなることができる。
【００１７】
また、本発明によるクィックオープニングサイドカバーを備えた釣り用リールにおいて、前記グリップは、把持部と、この把持部に連結された頭部と、この頭部の両側端部から突設されたスイング軸と、前記頭部の内側面から突設された係止突起とからなり、前記弾支手段は、前記係止突起に接触しながら外側方向に弾性力を発揮する接触部を備えたリーフスプリングを含んでなることができる。
【００１８】
また、本発明によるクィックオープニングサイドカバーを備えた釣り用リールにおいて、前記弾支手段は、前記リーフスプリングの接触部に連結された支持部に結合して外側方向に弾支するコイルスプリングを含んでなることができる。
【００１９】
本発明によるクィックオープニングサイドカバーを備えた釣り用リールにおいて、前記スプールカバーと第１サイドカバーは、前記グリップを収容することができるように陷沒した形態の収容凹部を含み、前記グリップが前記収容凹部に収容されたとき、前記スプールカバーの回転を防止してロック状態となることができる。
【００２０】
また、本発明によるクィックオープニングサイドカバーを備えた釣り用リールは、
フレーム；
前記フレームに装着されたシャフト；
前記シャフトに軸設され、釣糸が巻き付けられるスプール；
前記フレームの側面に備えられ、前記スプールの分離のために開放可能な第１サイドカバー；
前記第１サイドカバーの反対側に配列され、前記フレームに結合された第２サイドカバー；及び
前記第１サイドカバーに形成され、進退孔を含む第１装着部と、前記第２サイドカバーに形成され、進退孔を含む第２装着部と、前記第１装着部の進退孔に沿って進退する第１ロックロッドと前記第２装着部の進退孔に沿って進退する第２ロックロッドとからなるロッカーと、第１ロックロッドまたは第２ロックロッドの端部に備えられたロックチップと、第２ロックロッドまたは第１ロックロッドに備えられたロックホールと、前記ロックチップと前記ロックホールが結合する方向に弾性を付勢するように前記ロッカーの第１及び第２ロックロッドに結合された弾性手段とを含むクィックオープニングシステム；を含んでなる。
【００２１】
また、本発明によるクィックオープニングサイドカバーを備えた釣り用リールは、
フレーム；
前記フレームに装着されたシャフト；
前記シャフトに軸設され、釣糸が巻き付けられるスプール；
前記フレームの側面に備えられ、前記スプールの分離のために開放可能な第１サイドカバー；
前記第１サイドカバーの反対側に配列され、前記フレームに結合された第２サイドカバー；及び
第１サイドカバーまたは第２サイドカバーに形成された進退孔及び進退孔の周面の雌ネジ部を含む装着部と、前記装着部の進退孔に沿って進退し、前記装着部の雌ネジ部に結合する雄ネジ部を持ち、第１または第２サイドカバーの外側に露出されたグリップを備えたロックロッドからなるロッカーと、前記ロックロッドの端部に備えられたロックチップと、第２または第１サイドカバーに備えられ、前記ロックチップと結合するロックホールと、前記ロックチップと前記ロックホールが結合する方向または分離される方向に弾性を付勢するように前記ロックロッドに結合された弾性手段とを含むクィックオープニングシステム；
を含んでなる。
【発明の効果】
【００２２】
本発明による釣り用リールは、一手で引いてアンロック状態に切り替えることができるロッカーを提供し、装着部の係止部とロッカーの係止体の結合の際、開放状態の維持が可能であり、弾性手段によるロッカーのロックロッドとロックホールの結合の際、閉鎖状態の維持が可能であり、またサイドカバーの開放状態ではロッカーのグリップが突出している状態を維持して、釣り人がサイドカバーを意識的に閉めることができ、釣り中にサイドカバーが開かれる事態の発生を防止することができ、さらにロッカーのロックロッドを引いてロック状態を保障するロックホールから分離してアンロック状態に切り替えた後、係止体を装着部の係止部に結合するように変位させてアンロック状態を維持するために、ロッカーの係止体を昇降させるようにする多様な昇降変位手段を提供し、さらにロッカーのグリップに対する接近性を保障する隙間を持つ装着部を提供して、究極一手による操作が可能なクィックオープニングサイドカバーを提供することができる。
【００２３】
また、本発明は、ロッカーを構成するロックロッドを第１ロックロッドとともにロックホールを持つホール部材そのものでなる第２ロックロッドとから構成し、左右の両側で第１及び第２ロックロッドのいずれか一方を引くことでアンロックして第１サイドカバーの開放を可能にし、また第１サイドカバーの無断開放の防止及びアンロック状態の現出のための補完装置として、ロックロッドにネジ結合部を導入し、雄ネジ部と雌ネジ部を解除し、ロックロッドを引くことで第１サイドカバーを開放するようにし、ロッキングの際にロックホールとロックチップが結合していても、雄ネジ部と雌ネジ部が結合されなければ、ロッカーのグリップがサイドカバーの外側に露出されているので、釣り人がこれを確認して完璧に結合するように補強したクィックオープニングシステムを提供することができる。
【図面の簡単な説明】
【００２４】
【図１】本発明によるクィックオープニングサイドカバーを備えた釣り用リールの要部斜視図である。
【図２】本発明によるクィックオープニングサイドカバーを備えた釣り用リールの要部動作状態図である。
【図３】本発明の変形例によるクィックオープニングサイドカバーを備えた釣り用リールの要部図である。
【図４】本発明による釣り用リールの動作を区分して示す図である。
【図５】本発明による釣り用リールの動作を区分して示す図である。
【図６】本発明による釣り用リールの動作を区分して示す図である。
【図７】本発明による釣り用リールの動作状態を説明するための図である。
【図８】本発明による釣り用リールの動作状態を説明するための図である。
【図９】本発明による釣り用リールの分解斜視図である。
【発明を実施するための形態】
【００２５】
以下、添付図面に基づいて本発明を詳細に説明する。本発明は多様な変更を加えることができ、さまざまな形態を持つことができるもので、その具現例（または実施例）をここに詳細に説明する。しかし、これは、本発明を特定の開示形態に限定しようとするものではない。本発明は、本発明の思想及び技術範囲に含まれるすべての変更、均等物または代替物を含むものに理解されなければならない。
【００２６】
全ての図面において、同一参照符号、特に十の桁及び一の桁、または十の桁、一の桁及びアルファベットの同じ参照符号は同一または類似の機能を持つ部材を示し、特に言及がない場合、図面の各参照符号が指す部材はこのような基準に準ずる部材に把握すれば良い。
【００２７】
また、各図面において、構成要素は、理解の便宜などのために、大きさや厚さを誇張して大きく（または厚く）または小さく（または薄く）表現するか単純化して表現しているが、これによって本発明の保護範囲が制限されるものに解釈されてはいけない。
【００２８】
本明細書で使用する用語はただ特定の具現例（または実施例）を説明するために使用されたもので、本発明を限定しようとする意図ではない。単数の表現は文脈上特に明記しない限り、複数の表現を含む。本出願において、・・・含む・・・、または・・・なる・・・などの用語は明細書上に記載した特徴、数字、段階、動作、構成要素、部分品またはこれらを組み合わせたものが存在することを指定しようとするものであり、一つまたはそれ以上の他の特徴、数字、段階、動作、構成要素、部分品またはこれらの組合せなどの存在または付加の可能性を予め排除しないことに理解されなければならない。
【００２９】
特に他に定義しない限り、技術用語や科学用語を含み、ここで使われるすべての用語は本発明が属する技術分野で通常の知識を持った者によって一般的に理解されるものと同じ意味を持っている。一般的に使われる前もって定義されている用語は関連技術の文脈上で持つ意味と一致する意味を持つものに解釈されなければならなく、本明細書で明らかに定義しない限り、理想的な意味または過度に形式的な意味に解釈されない。
【００３０】
本明細書に開示された「第１」、「第２」などは互いに異なる構成要素を区分するために指称するものであり、製造順に限定されなく、発明の詳細な説明と請求範囲においてその名称が一致しないこともある。
【００３１】
まず、図１の上部の一点鎖線円内に示したように、本発明によるクィックオープニングサイドカバーを備えた釣り用リールＲは、フレームＦ、前記フレームに装着されたシャフトＡ、前記シャフトに軸設され、釣糸が巻き付けられるスプールＳｐ、前記スプールの回転のためのハンドルＨ、及びスプールの組立及び分解のための用途などの第１サイドカバーＳｃを含んでなる。
【００３２】
本発明は、第１サイドカバーＳｃに本発明の核心をなすクィックオープニングシステムＱが装着される場合（図１の上部左側の一点鎖線円内の装着地点「Ｐ１」）の外に、第１サイドカバーＳｃの反対側に配列される第２サイドカバーＳｃ’（図１の上部中央の一点鎖線円内の装着地点「Ｐ２」）にクィックオープニングシステムＱが装着される場合を考慮し、公知の釣り用リールから分離できないがフレームＦの他側面に備えられた部分を便宜上「第２サイドカバー」に区分して記述する。
【００３３】
第１サイドカバーＳｃにクィックオープニングシステムＱが装着される「第１具現例」の場合（図１の上部中央の一点鎖線円内の図示事項である「第２具現例」以外の図１及び図２の図面はいずれも第１具現例を示すものである）、クィックオープニングシステムＱは、装着部５１、ロッカー５３、ロッカーのロックロッド５３Ａが結合するロックホール５５、及び前記ロッカーのロックロッドが前記ロックホールに結合する方向に弾性を付勢するように前記ロッカーに結合された弾性手段５７を含んでなる。このような弾性手段は、コイルスプリングの外に、収縮及び復元の可能なシリコンやエラストマーなどの多様な素材及び形状の弾性体に変形可能である。
【００３４】
「第１具現例」のクィックオープニングシステムＱは、装着部が第１サイドカバーＳｃに備えられ、ロックホール５５がフレームＦに備えられ、ロッカー５３の長さがその分だけ短く、第１サイドカバーＳｃからハンドルＨの反対方向にロッカーのグリップを引いた後、昇降させて第１サイドカバーの開放動作を進める一方、「第２具現例」のクィックオープニングシステムＱは、装着部が第２サイドカバーＳｃ’側に備えられ、ロックホール５５が第１サイドカバーＳｃに備えられ、ロッカー５３ｍの長さが両サイドカバーを横切って配列されただけの長さを持ち、第２サイドカバーＳｃ’からハンドルＨの方向にロッカーのグリップを引いた後、昇降させて第１サイドカバーの開放動作を進める点で互いに違う。必要によって「第１具現例」を変形して、ロックホールを第２サイドカバー側に配置し、ロッカーの長さを長く形成することができる。
【００３５】
以下では、「第１具現例」のクィックオープニングシステムＱ、ひいてはロックホールがフレームＦに配列された形態を主に説明するが、これらの構成は配列位置、大きさ及び形状を適切に変形して第２具現例などにそのまま適用することができるものなので、以下の説明が本発明の保護範囲を制限してはいけない。
【００３６】
「第１具現例」のクィックオープニングシステムＱにおいて、前記装着部５１は前記第１サイドカバーＳｃに形成され、係止部５１ａと進退孔５１ｂを含み、さらにロッカー５３のグリップ５３Ｃに指の投入を保障する隙間５１ｃが備えられている。次に、ロッカー５３は、前記装着部５１の進退孔５１ｂに沿って進退するロックロッド５３Ａと、前記ロックロッド５３Ａに連結され、第１サイドカバーＳｃ開放の際、係止部５１ａに結合する係止体５３Ｂとを含み、さらにグリップ５３Ｃを含む。前記ロッカーは一体的に形成されているが、必要によって多数の部品を組み立てた形態に構成することができる。
【００３７】
次に、ロックホール５５は前記ロックロッド５３Ａの端部、つまりロックチップ５４と結合し、前記フレームＦ（「第１具現例」の場合）または第２サイドカバーＳｃ’（「第１具現例」の変形例の場合）に備えられる。または、第１サイドカバーＳｃ（「第２具現例」の場合）に備えられることができる。このようなロックホールはフレームなどに直接形成されるか、あるいは別の部材、つまりホール部材５５Ａに形成され、このホール部材がフレームなどに装着されることができる。「ホール」（hole）という概念は雄部材の役目をするロックロッドの端部に対応する雌部材を代表して指称したものであるだけ、その用語が示す形状によって本発明が制限されて解釈されてはいけない。
【００３８】
次に、弾性手段は、前記ロッカー５３のロックロッド５３Ａが前記ロックホール５５に結合する方向に弾性を付勢するように前記ロッカーに結合している。図面において、弾性手段はコイルスプリング５７で構成され、一端がロックロッド５３Ａ、特に締結溝５３Ａに結合するように徐々に縮径して締結リング部５７ａを形成し、他端は装着部５１が備えられた第１サイドカバーＳｃの内側壁結合部Ｓｃ１、（図２［Ｂ］参照）に支持される。
図２［Ａ］の第１サイドカバーＳｃの閉鎖状態から図２［Ｂ］の開放状態に切り替えるために、第１サイドカバーＳｃとロッカー５３のグリップ５３Ｃの間に形成された隙間５１ｃに指などを投入し、ロッカー５３を右側（図面基準）に引けば、ロックロッド５３Ａの締結溝５３Ａに結合された締結リング部５７ａを持つコイルスプリング５７が装着部をなす第１サイドカバーの内面の間で収縮するとともに、ロッカーのロックロッド５３Ａの左側端部がホール部材５５Ａのロックホール５５から分離されることにより、第１サイドカバーを分離することができる状態となる。
【００３９】
ロックロッド５３Ａとロックホール５５の分離状態を固定するためにロッカー５３を下方に下げ続ければ、ロッカーの係止体５３Ｂが装着部５１の進退孔５１ｂの下側の係止部５１ａに装着されることにより、釣り人は一手でロッカー５３をアンロックすることができ、この状態でさらに一手で第１サイドカバーＳｃを押圧操作することで、フレームＦと第１サイドカバーＳｃの特定結合構造によってまだ結合状態を維持している第１サイドカバーをフレームから分離することができる。この際、第１サイドカバーはフレームから全く分離されるとか、一側にかたよった位置にある開放軸を中心に回転してぶら下がっているとか、第１サイドカバーの紛失防止のための連結ストリングなどによってフレームにぶら下がった状態となる。
【００４０】
このようなロッカーの係止体と装着部の係止部の結合は、装着部５１の進退孔５１ｂ断面積がロックロッド５３Ａの断面積より大きいので、安定したロッカーの右側への動きのために、進退孔５１ｂの断面積及び形状に相応する断面積及び形状（円形断面積の形態で対称する両側の弧形部位を切断して楕円と類似の形状を持つ形態）を持つ係止体５３Ｂのガイドロッド５３Ｂが進退孔から離脱すれば、相対的に小さな断面積のロックロッド５３Ａは進退孔５１ｂで遊動可能な状態となり、ロックロッド５３Ａとロックホール５５が結合した状態でロックロッドがなす軸線（Ｘ）（図２［Ａ］参照）の方向からずれる方向（図２の下方）に動けば（装着部の係止部とロッカーの係止体が結合する方向に動けば）、第１サイドカバーの開放状態の固定が可能となる。
【００４１】
装着部の係止部とロッカーの係止体が結合する方向にロッカー５３を動かす状況（軸線（Ｘ）に対する任意の放射状方向に移動することができる）を「昇降」に表現することができ、装着部５１の進退孔５１ｂの断面積とロックロッド５３Ａの断面積の差によって形成される離隔部Ｄ（図２［Ｂ］の右側一点鎖線円内の概略断面図参照）はロッカーの係止体のための一種の「昇降変位手段」と言える。「昇降変位手段」は、離隔部Ｄの外に、例えばグリップ５３Ｃ及び係止体５３Ｂがなす塊体をロッカー５３から分離し、ロッカーに対して該当の塊体を昇降させることができ、多様な弾性部材によって塊体が元の位置に復帰する形態に構成することができる。
【００４２】
釣糸の修繕や入れ替え、ブレーキシステムの制動力調節の後、第１サイドカバーをフレームの元の位置に再び結合した後、ロッカー５３の係止体５３Ｂを上昇させて装着部の係止部５１ａから分離すれば、弾性手段によってロッカー５３のロックロッド５３Ａの端部は再びロックホール５５に結合してロック状態に復帰する。使用者は第１サイドカバーの開放状態（甚だしくは第１サイドカバーがフレームに結合している状態）でもロッカーのグリップ５３Ｃが突出しているので、まったくロッカーがロック状態を維持していないことを易しく確認することができるので、確かなロックが可能である。
【００４３】
また、必要によってロッカーのロックロッドと係止体の間に、図示したような段差構造ではなく、傾斜部を導入してアンロック状態からロッキング状態にロッカーを動かす場合、断面積が相対的に小さなロックロッド５３Ａと断面積が相対的に大きいガイドロッド５３Ｂの差にもかかわらず、ガイドロッド５３Ｂが装着部の進退孔５１ｂに再進入することをより容易に行うことができる。
【００４４】
また、本発明は、図４〜図９に示したように、前記第１サイドカバーを変形して前記第１サイドカバーと前記スプールカバーが単一結合体（以下カバーアセンブリーという）で具現し、前記第１サイドカバーが前記フレームの側面をすべて覆うようにすることで、スプールカバーの変位によって
カバーアセンブリーが前記フレームの側面を開閉するように形成することができる。このために、本発明は、図４〜図６に示したように、前記クィックオープニングシステムは、前記スプールカバー３１を回転させて前記カバーアセンブリー３０が前記開口部１２を開閉するようにするロッキング手段を含んでなる。
【００４５】
前記カバーアセンブリーのロック及び解除は、図６に示したように、前記スプールカバー３１に備えられた結合突起３３と前、記フレーム１０の結合部１３に設けられ、前記結合突起３３が締結される対応部材１３ａとによってなされる。前記結合突起３３及び対応部材１３ａの形態、個数及び形成位置は制限されなく、多様な形態に構成可能であり、当業者であれば充分に予測して再現することができるので、この明細書によって制限されない。
【００４６】
図４〜図６に示したように、本発明のロック手段は使用者が前記スプールカバー３１の回転、つまりロック及び解除を容易に遂行するように、スプールカバー３１に横方向スイング運動可能に結合されたグリップ３４と、前記スプールカバー３１に内蔵され、前記グリップ３４の一方向スイング運動の完了の際、完了状態を強制して、グリップ３４のスイング運動がワンスナップ方式でなされるようにする弾支手段とを含んでなる。前記グリップ３４が外側方向にスイング運動するように構成されるので、使用者は前記グリップ３４を把持した後、グリップ３４を回転させることで、スプールカバー３１のロック及び解除を行うことができる。
【００４７】
そして、前記グリップ３４の横方向スイング運動のために、前記グリップ３４は、把持部３４Ａと、この把持部３４Ａに連結された頭部３４Ｃと、この頭部３４Ｃの両側端部から突設されたスイング軸３４Ｂとから構成され、前記スプールカバー３１の外側面には前記スイング軸３４Ｂにヒンジ結合する結合溝（図示せず）が備えられている。そして、前記グリップ３４は釣り用リールの軽薄短小化の趨勢にあわせて前記スプールカバー３１に陷沒した形状に結合し、把持部３４Ａの一側に使用者が指を挿入することができる投入凹部が備えられていることが好ましい。この際、前記グリップ３４が前記スプールカバー３１にだけ陷沒した形態に結合している場合、グリップ３４を展開しなかった状態で使用者が手の平などでスプールカバー３１を押圧して回転させれば、スプールカバー３１が回転してカバーアセンブリーが分離される問題点が発生することができる。特に、海上の船上釣りのように、平坦ではない釣魚環境で使用者が釣りを楽しむ場合、使用者は釣り竿を両手で握っている場合が多い。この際、釣魚中に使用者が手の平などで前記スプールカバー３１の全体を押圧して回転させれば、使用者が望まない状況で前記カバーアセンブリーが分離される問題点がある。
【００４８】
それで、本発明は、前記カバーアセンブリーに前記グリップ３４が陷沒して一体化するように設計することで、軽薄短小化の趨勢にあわせてスプールカバー３１の無断回転を防止した。  このために、図７〜図９に示したように、前記スプールカバー３１及び前記第１サイドカバー３２には、前記グリップ３４を収容することができる陷沒状の収容凹部３１ａ、３２Ａが備えられている。したがって、前記グリップ３４が前記収容凹部３１ａ、３２Ａに収容された状態、つまり前記グリップ３４を折畳んだ状態では、前記グリップ３４が前記第１サイドカバー３２にかかって前記スプールカバー３１の回転を防止することにより、スプールカバー３１がロック状態となる。そして、前述したように、極限の釣魚環境で使用者がグリップ３４を折畳むとか展開するとき、把持し続けることができない場合が発生することができる。
【００４９】
また、場合によっては、前記グリップ３４の折畳みまたは展開の作動状態をずっと維持しなければならない必要がある。本発明は、前記弾支手段によってグリップ３４のスイング運動の完了状態を強制して使用者の便宜をはかることができる。このために、本発明の弾支手段は、図９に示したように、複数の弾性体で前記グリップ３４のワンスナップ方式を具現する。
【００５０】
まず、前記グリップ３４の頭部３４Ｃの内側面には突設された係止突起３４ａが設けられ、前記弾支手段は、前記係止突起３４ａに接触したままで外側方向に弾性力を発揮する接触部３７Ａを備えたリーフスプリング３７を含んでなることを特徴とする。
【００５１】
前記リーフスプリング３７は前記接触部３７Ａに連結された支持部３７Ｂを含み、前記接触部３７Ａと前記支持部３７Ｂの間には弾性折曲部３７Ｃが形成されている。したがって、前記グリップ３４のスイング運動中には、前記係止突起３４ａが前記接触部３７Ａを弾性力方向の反対方向に押圧しながらスイングし、スイング運動が完了すれば、前記リーフスプリング３７の弾性力によって前記接触部３７Ａが前記係止突起３４ａの端部を押圧してグリップ３４が反対方向にスイングすることができないようにすることにより、使用者はグリップ３４の折畳み及び展開、つまりロック及び解除（特に、解除状態）をずっと維持することができるので、非常に便利である。
【００５２】
また、前記係止突起３４ａの角部が所定間隔で回転すれば、前記リーフスプリング３７の接触部３７Ａは前記係止突起３４ａの回転反対方向の端部を弾性力で押圧するので、使用者は瞬間的な押圧だけでもグリップ３４のロック及び解除をとても易しくなすことができる。そして、前記リーフスプリング３７は弾性折曲部３７Ｃによって弾性力を確保する。前記支持部３７Ｂが前記スプールカバー３１に単純に固定された状態でグリップ３４のスイング（ロック及び解除）が頻繁に行われる場合、前記弾性折曲部３７Ｃが反対方向に展開することによって弾性力が低下することができる。それで、本発明は前記支持部３７Ｂに結合して外側方向にリーフスプリング３７を弾支するコイルスプリング３８を導入した。
【００５３】
前記コイルスプリング３８の結合のために、前記支持部３７Ｂには結合孔３７ｄが設けられ、前記コイルスプリング３８の末端部が前記結合孔３７ｄに挿合されるか、あるいは図９に示したように、前記支持部３７Ｂと弾性折曲部３７Ｃが前記コイルスプリング３８の隙間に差し込まれる形で結合することができる。そして、前記コイルスプリング３８と前記リーフスプリング３７を前記スプールカバー３１に固定するために、ボルト部材３９が前記コイルスプリング３８の中空及び前記結合孔３７ｄを貫通し、スプールカバー３１に備えられたネジ孔（図示せず）に結合する。
【００５４】
次に、本発明は、スプールカバー３１の過回転を制限し、回転完了の後に完了状態を維持することで、使用者がカバーアセンブリーの分離及び結合を手軽く行うように維持手段を導入した。
【００５５】
前記維持手段は、図５及び図６の下部に示したカバーアセンブリーの結合関係を概略的に示す拡大投影図に示したように、前記第１サイドカバー３２の開口部のまわりに形成され、内側方向に弾支されるボール部材３２ｂと、前記スプールカバー３１に備えられ、前記結合突起３３と前記対応部材１３ａの結合及び解除の位置に対応して形成され、前記ボール部材３２ｂが挿入される回転凹部３１ｂとを含んでなる。前記スプールカバー３１は外分体３１Ａと内分体３１Ｂが結合してなり、前記スプールカバー３１の内分体３１Ｂの端部に前記回転凹部３１ｂが形成されることで、前記スプールカバー３１回転の際、内分体３１Ｂの端部が前記ボール部材３２ｂを外側方向に押圧しながら回転し、ついで他の回転凹部３１ｂに到逹すれば、前記ボール部材３２ｂが内側方向に弾支されることにより、スプールカバー３１の過回転が防止されるとともにスプールカバー３１が完了状態を維持するようになる。前記ボール部材３２ｂの横移動のために、前記第１サイドカバー３２は、前記ボール部材３２ｂを弾支する弾性体３２ｄが挿入される挿入凹部３２ｂが内側面に形成されることが好ましい。図面にはコイルスプリング類の弾性体３２ｄが挿入凹部３２ｂに挿入されるものとして図示されているが、これは説明の便宜のためのもので、弾性力を発揮するすべての弾性体で前記維持手段を具現することができるのはいうまでもなく、当業者であれば充分に予測して再現することができるので、本発明の権利解釈が制限されてはいけない。
【００５６】
次に、要部概略図の図３［Ａ］には、第１または第２サイドカバーＳｃ、Ｓｃ’の両方にそれぞれ第１及び第２ロックロッド５３Ａ、５３Ａ’を備えているので、いずれか一方のロッカーのグリップ５３Ｃを引いても第１サイドカバーＳｃの開放が可能となるように構成されて便利性が画期的に増大した変形釣り用リールが示されている。
【００５７】
このような変形釣り用リールのために、第１サイドカバーＳｃには第１装着部５１が備えられ、第２サイドカバーＳｃ’には第２装着部５２が備えられ、それぞれの装着部には進退孔５１ｂが備えられている。それぞれの装着部５１、５２の進退孔５１ｂに結合して進退する第１及び第２ロックロッド５３Ａ、５３Ａ’を備えたロッカー５３はそれぞれのロックロッドに連結されたグリップ５３Ｃを持ち、図１の基本形釣り用リールのように係止体５３Ｂをそれぞれ備えており、係止体に対応する係止部５１ａが第１及び第２サイドカバーに備えられている。
【００５８】
また、第１ロックロッド端部に備えられた（代案として、第２ロックロッドに導入可能）ロックチップ５４と第２ロックロッドに備えられた（代案として第１ロックロッドに導入可能）ロックホール５５Ｍが結合する方向に弾性を付勢する弾性手段は第１及び第２ロックロッド５３Ａ、５３Ａ’にそれぞれ導入される。
【００５９】
この弾性手段は、図１の基本形釣り用リールと同様に、コイルスプリング５７で構成され、一端がロックロッド５３Ａ、５３Ａ’のそれぞれの締結溝に結合するように次第に細くなって締結リング部を形成し、他端はそれぞれ装着部５１、５２が備えられた第１及び第２サイドカバーＳｃ、Ｓｃ’の内側壁に支持される。このような変形クィックオープニングシステムＱの動作は図１の基本形釣り用リールのクィックオープニングシステムと大同小異であるのでその説明は省略する（図３［Ａ］の変形例はロックホールを持つホール部材を変形して第２ロックロッドを構成したものであると言える。よって第２ロックロッドはホール部材の機能を兼ねている）。したがって、図３［Ａ］の変形例において装着部の係止部とロッカーの係止体は必要によって省略することができ、グリップの形状も多様に変形することができる。そして、前記第１ロックロッドと前記第２ロックロッドの結合体は互いに結合された複数の分体で構成され、テレスコープ型（telescopic）に伸縮可能であり、前記フレーム１０にスライド可能に結合することができる。
【００６０】
次に、図３において要部概略図として動作状態を連続して示す［Ｂ１］、［Ｂ２］及び［Ｂ３］は、釣り用リールのさらに他のクィックオープニングシステムＱの変形例を示すもので、アンロック状態を易しく確認することができ、釣り中などの多様な状態で第１サイドカバーが勝手に開放することを防止するためのものである。この変形クィックオープニングシステムＱにおいて、ロッカー５３は図１の上部中央の一点鎖線円内のロッカー５３ｍを改善したものであるといえる。
【００６１】
第１サイドカバーＳｃにはロックホール５５Ｍが備えられ（必要によっては、第２サイドカバーＳｃ’にロックホールが導入可能）、ロックロッド５３Ａの端部、つまりロックチップ５４がロックホールに結合し、進退孔５１ｄを持つ装着部５１は第２サイドカバーＳｃ’に備えられている（必要によって装着部は第１サイドカバーに導入可能である）。ロッカー５３のグリップ５３Ｃの形態は、回転が容易であるように、すべり防止のためのローレット切り（knurling）処理された変形形態であり、ロックロッド５３Ａは、第２サイドカバーＳｃ’の内部空間にロックロッドの端部ロックチップ５４がロックホール５５Ｍに結合する方向に弾性を付勢する弾性手段、特にコイルスプリング５７が結合配列されている。
【００６２】
このために、コイルスプリング５７の右側端部はロックロッドに結合し（図１の締結溝方式が可能）、コイルスプリングの左側端部は装着部５１の領域内の第２サイドカバーに結合している。必要によって、前記弾性手段は、ロックロッドの端部ロックチップ５４がロックホール５５Ｍから分離される方向に弾性を付勢する形態であることができる。これは、例えばコイルスプリング５７の右側端部はロックロッドに結合し、コイルスプリングの左側端部は装着部５１の領域内の第２サイドカバーに支持されてロックロッドを右側に押す方式で弾性を付勢することができる。
【００６３】
前者の場合には、ロックロッド５３Ａを回すことで、グリップ５３Ｃの左側に備えられた雄ネジ部５３ｄを第２サイドカバーＳｃ’の雌ネジ部５１ｄから解除して分離しても、ロックロッドの左側端部のロックチップ５４は図３［Ｂ２］の状態のようにロックホール５５Ｍから分離されなく、再びグリップ５３Ｃを引くことにより、図３［Ｂ３］の状態にロックチップ５４がロックホール５５Ｍから分離される。
【００６４】
しかし、後者の場合には、ロックロッド５３Ａを回すことで、グリップ５３Ｃの左側に備えられた雄ネジ部５３ｄを第２サイドカバーＳｃ’の雌ネジ部５１ｄから解除して分離すれば、弾性手段５７の弾発によってロックロッドの左側端部のロックチップ５４は図３［Ｂ２］の状態のようなロックホール５５Ｍの結合状態から、別途の外力を加えなくても（グリップ５３Ｃを引く必要なしに）、図３［Ｂ３］の状態のように、ロックチップ５４がロックホール５５Ｍから分離される。
【００６５】
このようなロックロッドに対する弾性手段の弾性力発揮方向によるロックチップとロックホールの分離形式は図示しない構造、つまり装着部が第１サイドカバーに備えられ、ロッカーのグリップは第１サイドカバーの外側、つまり左側に露出され、ロックホールは第１サイドカバー（またはフレーム）に備えられるか（ロックロッドが相対的に図１のように短い）第２サイドカバーに備えられる（ロックロッドが図３［Ｂ１］のように相対的に長い）場合にも、ほぼ同じに変形して適用されることができる。図３の［Ｂ１］、［Ｂ２］及び［Ｂ３］において、ロックロッドに対する弾性手段の弾性力発揮方向は特に特定するものではない。
【００６６】
このように、ロックロッドと第１サイドカバー（または第２サイドカバーまたはフレーム）にネジ結合部を導入し、雄ネジ部及び雌ネジ部を解除してロックロッドを引くことで第１サイドカバーを開放するようにし、ロッキングの際にもロックホールとロックチップが結合していても（ロックロッドに対する弾性手段の弾性力がロックホールとロックチップが結合する方向に発揮される場合）、ロックロッド（またはグリップ）を回して雄ネジ部と雌ネジ部を結合しなければ、ロッカーのグリップがサイドカバーの外側に露出されて、釣り人がこれを確認して完璧に結合することができるので、この変形例では第１サイドカバーの無断開放の防止及びアンロック状態の現出が可能である。
【００６７】
以上の説明において、多様な釣り用リールの具体的な構造などに係わる通常の公知技術は省略されているが、当業者であれば容易にこれを推測及び推論して再現することができる。また、以上の本発明の説明においては、添付図面に基づいて特定の形状及び構造を持つ釣り用リール及びクィックオープニングシステムを主として説明したが、本発明は当業者によって多様な修正、変更及び置換が可能であり、このような修正、変更及び置換は本発明の保護範囲に属するものに解釈されなければならない。
【産業上の利用可能性】
【００６８】
本発明は、スプールなどの脱着のために開閉可能なサイドカバーを備えた釣り用リールに適用可能である。
【符号の説明】
【００６９】
Ｒ    釣り用リール
Ｆ、１０    フレーム
Ｓｐ、２０    スプール
Ｓｃ、Ｓｃ’、３２    サイドカバー
Ｈ    ハンドル
Ｑ    クィックオープニングシステム
５１    装着部
５１ａ    係止部
５１ｂ    進退孔
５１ｃ    隙間
５３、５３ｍ  ロッカー
５３Ａ    ロックロッド
５３Ｂ    係止体
５３Ｃ、３４    グリップ
５５    ロックホール
５７    弾性手段
【図１】
0005736004.tif 000002
【図２Ａ】
0005736004.tif 000003
【図２Ｂ】
0005736004.tif 000004
【図３】
0005736004.tif 000005
【図４】
0005736004.tif 000006
【図５】
0005736004.tif 000007
【図６】
0005736004.tif 000008
【図７】
0005736004.tif 000009
【図８】
0005736004.tif 000010
【図９】
0005736004.tif 000011